(57)【特許請求の範囲】
【請求項１】
複数の二次電池が搭載可能とされ、該搭載された二次電池からの直流電流を交流電流に変換して、この交流電流による電力を外部に供給する運搬可能な電源装置であって、前記搭載可能な二次電池は電動工具の装着部に着脱可能に装着されて該電動工具の電源として用いられる電池パックであり、該電動工具が有する装着部と同一の機械的形態を有する装着部が設けられており、前記電池パックは該装着部に着脱可能に装着されて搭載されることを特徴とする電源装置。
【請求項２】
請求項１に記載の電源装置であって、前記電池パックが装着される箱形状を有する装着台を備え、該装着台の同一面側に複数の前記装着部が設けられていることを特徴とする電源装置。
【請求項３】
請求項２に記載の電源装置であって、前記各装着部は前記機械的形態として前記電池パックの着脱動作をガイドするガイド機構を備えており、該各装着部が備えるガイド機構は、電池パック着脱動作をガイドする方向が互いに並行となるよう配設されていることを特徴とする電源装置。
【請求項４】
請求項３に記載の電源装置であって、前記各装着部は、前記機械的形態を互いに同一の向きとして配設されていることを特徴とする電源装置。
【請求項５】
請求項２から請求項４までのいずれかに記載の電源装置であって、前記電池パックの装着部は、装着された該電池パックの周囲において該電池パックを把持可能な空間が形成されて配置されていることを特徴とする電源装置。
【請求項６】
請求項５に記載の電源装置であって、前記電池パックの周囲に形成される空間は、前記装着される電池パックの少なくとも一部分が前記装着台の前記同一面側の面より外側にはみ出ることにより形成されていることを特徴とする電源装置。
【請求項７】
請求項５に記載の電源装置であって、前記電池パックの周囲に形成される空間は、電池パックの前記装着台の前記同一面側において隣り合う電池パック間に共有されて形成されていることを特徴とする電源装置。
【請求項８】
請求項２から請求項７までのいずれかに記載の電源装置であって、電池パックから電力を外部に供給する電力供給回路が前記装着台の箱形状内部に配置されており、該電力供給回路を配置した回路基板が弾性材を介して前記装着台に固定されていることを特徴とする電源装置。
【請求項９】
請求項１から請求項８までのいずれかに記載の電源装置であって、前記運搬可能とされた当該電源装置の外表面にはプロテクタが設けられていることを特徴とする電源装置。
【請求項１０】
請求項１に記載の電源装置であって、前記電池パックの装着部は、装着された該電池パックの周囲において該電池パックを把持可能な空間が形成されて配置されていることを特徴とする電源装置。
【発明の詳細な説明】
【技術分野】
【０００１】
本発明は、二次電池が搭載可能とされ、この搭載された二次電池の電力を外部に供給することが可能な電源装置に関する。
【背景技術】
【０００２】
二次電池が搭載可能とされ、この搭載された二次電池の電力を外部に供給することが可能な電源装置として、例えば下記特許文献１に記載された装置が従来知られている。機能的に見れば、このような電源装置は、発電機におけるガソリン等のエネルギー源を二次電池に置換したものと位置づけることができる。
【先行技術文献】
【特許文献】
【０００３】
【特許文献１】特開２０１０−２２５２８３号公報
【発明の概要】
【発明が解決しようとする課題】
【０００４】
ところで、このような電源装置において、電動工具に装着して用いられる電池パックを上記の二次電池として搭載可能であれば、電動工具が使用される建設現場等の作業現場において、予備の電池パックを用いて電動工具を含む外部の電気機器に電力を供給することが可能となる。特にこのような作業現場においては商用電源の利用が困難ないし不便な環境である場合が多いため、上記電源装置の利用は有用である。
【０００５】
本発明は上記の視点でなされた発明であって、本発明が解決しようとする課題は、二次電池が搭載可能とされその電力を外部に供給することが可能な電源装置において、前記二次電池として電動工具用の電池パックを着脱可能に搭載可能とすることにある。
【課題を解決するための手段】
【０００６】
上記課題を解決するため、本発明に係る電源装置は次の手段をとる。
本発明の第１の発明に係る電源装置は、複数の二次電池が搭載可能とされ、該搭載された二次電池からの直流電流を交流電流に変換して、この交流電流による電力を外部に供給する運搬可能な電源装置であって、前記搭載可能な二次電池は電動工具の装着部に着脱可能に装着されて該電動工具の電源として用いられる電池パックであり、該電動工具が有する装着部と同一の機械的形態を有する装着部が設けられており、前記電池パックは該装着部に着脱可能に装着されて搭載されることを特徴とする。
この構成によれば、該電源装置は電動工具が有するものと同一の形態を有する装着部が設けられているため、前記二次電池として電動工具用の電池パックを着脱可能に搭載することができる。これにより、電動工具が使用される建設現場等の作業現場において該電源装置に電動工具用の予備の電池パックを装着すれば、外部の電気機器に電力を供給することが可能となる。
特に、該電源装置は電動工具が有するものと同一の機械的形態を有する装着部が設けられているため、作業者は電動工具に着脱する場合と同一の感覚で電動工具用電池パックを該電源装置に着脱可能である。したがって、電池パックの前記着脱が容易である。
【０００７】
本発明の第２の発明に係る電源装置は、第１の発明に係る電源装置であって、前記電池パックが装着される箱形状を有する装着台を備え、該装着台の同一面側に複数の前記装着部が設けられていることを特徴とする。
この構成によれば、電池パックの装着側として設定された装着台の同一面側に前記装着部が複数設けられているため、複数の電池パックが容易に着脱可能となる。
【０００８】
本発明の第３の発明に係る電源装置は、第２の発明に係る電源装置であって、前記各装着部は前記機械的形態として前記電池パックの着脱動作をガイドするガイド機構を備えており、該各装着部が備えるガイド機構は、電池パック着脱動作をガイドする方向が互いに並行となるよう配設されていることを特徴とする。
この構成によれば、各電池パックの着脱動作のガイド方向が互いに並行であるため、複数の電池パックを装着する場合において、各電池パックを同じ方向から着脱動作可能である。したがって、複数の電池パックの着脱が一層容易となる。
【０００９】
本発明の第４の発明に係る電源装置は、第３の発明に係る電源装置であって、前記各装着部は、前記機械的形態を互いに同一の向きとして配設されていることを特徴とする。
この構成によれば、各装着部のガイド機構が電池パックの前記装着側において互いに同一の向きに配設されているため、複数の電池パックを装着する場合において、各電池パックを同一の向きに把持して着脱可能となる。したがって、複数の電池パックの着脱が一層容易となる。
【００１０】
本発明の第５の発明に係る電源装置は、第１から第４までのいずれかの発明に係る電源装置であって、前記電池パックの装着部は、装着された該電池パックの周囲において該電池パックを把持可能な空間が形成されて配置されていることを特徴とする。
この構成によれば、装着される電池パックの周囲において該電池パックを把持可能な空間が確保されるため、電池パックの着脱動作時に電池パックを把持しやすい。したがって、電池パックの着脱動作が更に容易となる。
【００１１】
本発明の第６の発明に係る電源装置は、第５の発明に係る電源装置であって、前記電池パックの周囲に形成される空間は、前記装着される電池パックの少なくとも一部分が前記装着台の前記同一面側の面より外側にはみ出ることにより形成されていることを特徴とする。
この構成によれば、装着される電池パックの一部分が前記同一面側とされた面より外側にはみ出ているため、電池パックを把持可能な空間が電池パックの周囲に充分確保できる。したがって、電池パックの着脱動作が更に容易となる。
【００１２】
本発明の第７の発明に係る電源装置は、第５の発明に係る電源装置であって、前記電池パックの周囲に形成される空間は、電池パックの前記装着台の前記同一面側において隣り合う電池パック間に共有されて形成されていることを特徴とする。
この構成によれば、電池パックを把持可能な空間が電池パックの前記装着側において隣り合う電池パック間に共有されて形成されているため、複数の電池パックが装着される場合においても該電池パックを把持可能な空間が確保される。したがって、複数の電池パックの着脱動作が更に容易となる。
【００１３】
本発明の第８の発明に係る電源装置は、第１から第７までのいずれかの発明に係る電源装置であって、電池パックから電力を外部に供給する電力供給回路が前記装着台の箱形状内部に配置されており、該電力供給回路を配置した回路基板が弾性材を介して前記装着台に固定されていることを特徴とする。
この構成によれば、電力を外部に供給する電力供給回路が配置された回路基板が弾性材を介して固定されているため、作業現場環境において発生する振動等により回路に悪影響が及ぶことを低減することができる。
【００１４】
本発明の第９の発明に係る電源装置は、第１から第８までのいずれかの発明に係る電源装置であって、前記運搬可能とされた当該電源装置の外表面にはプロテクタが設けられていることを特徴とする。
この構成によれば、電源装置の外表面にプロテクタが設けられているため、使用中及び運搬中の転倒や落下による外部からの衝撃等から該電源装置が保護される。
【発明の効果】
【００１５】
第１の発明によれば、二次電池として電動工具用の電池パックを着脱可能に搭載することができる。
第２の発明によれば、複数の電池パックが容易に着脱可能となる。
第３の発明によれば、複数の電池パックを装着する場合において、各電池パックを同じ方向から着脱動作可能であり、複数の電池パックの着脱が一層容易となる。
第４の発明によれば、複数の電池パックを装着する場合において、各電池パックを同一の向きに把持して着脱可能となり、複数の電池パックの着脱が一層容易となる。
第５の発明によれば、電池パックの着脱動作時に電池パックを把持しやすく、電池パックの着脱動作が更に容易となる。
第６の発明によれば、電池パックを把持可能な空間が電池パックの周囲に充分確保でき、電池パックの着脱動作が更に容易となる。
第７の発明によれば、複数の電池パックが装着される場合においても該電池パックを把持可能な空間が確保され、複数の電池パックの着脱動作が更に容易となる。
第８の発明によれば、外部からの振動や衝撃等により回路に悪影響が及ぶことを低減することができる。
第９の発明によれば、外部からの衝撃等から電源装置が保護される。
【図面の簡単な説明】
【００１６】
【図１】各実施形態に共通の電池パックの下側を示す斜視図である。
【図２】各実施形態に共通の電動工具に設けられた電池パックの装着部を示す斜視図である。
【図３】第１の実施形態に係る電源装置を蓋を開いた状態で示す斜視図である。
【図４】第１の実施形態に係る電源装置を蓋を閉じた状態で示す斜視図である。
【図５】第１の実施形態に係る電源装置を図４のＶ−Ｖ線で切断して示す断面図である。
【図６】第２の実施形態に係る装着台を模式的に示す平面図である。
【図７】第３の実施形態に係る装着台を模式的に示す正面図である。
【図８】第４の実施形態に係る装着台を模式的に示す左側面図である。
【図９】第４の実施形態に係る装着台を模式的に示す平面図である。
【図１０】第４の実施形態の変形例に係る装着台を模式的に示す左側面図である。
【図１１】第５の実施形態に係る装着台を模式的に示す左側面図である。
【図１２】第６の実施形態に係る装着台を模式的に示す左側面図である。
【図１３】第６の実施形態の変形例に係る装着台を模式的に示す左側面図である。
【図１４】第７の実施形態に係る装着台を模式的に示す左側面図である。
【図１５】第８の実施形態に係る装着台を模式的に示す左側面図である。
【発明を実施するための形態】
【００１７】
［第１の実施形態］
以下、本発明の第１の実施形態に係る電源装置１０、電池パック８０、電動工具Ｔの装着部Ｔ３０を、図面を参照しながら説明する。
本実施形態に係る電源装置１０は、図３に示すように、電池パック８０が着脱可能とされ、装着された電池パック８０からの直流電流を交流電流に変換して、この交流電流による電力を外部に供給する運搬可能な電源装置である。この電源装置１０に着脱可能とされる電池パック８０は、通常、携帯用の電動工具Ｔ（図２参照）に着脱可能に装着されて電源として用いられる、充電可能な電池パックである。図２に例示する電動工具Ｔは電動インパクトドライバであるが、これに限らず電動ドライバ、電動ノコギリ等でも良い。後述のように、本電源装置１０には、電動工具Ｔに設けられた電池パックの装着部Ｔ３０と機械的及び電気的に同一の形態を有する装着部３０が形成されている。このため、まず電池パック８０及び、電動工具Ｔに設けられた電池パックの装着部Ｔ３０から説明する。なお、この電池パック８０及び装着部Ｔ３０の説明は、後に説明する他の実施形態に対しても共通である。
【００１８】
図１には電池パック８０が示されている。なお、電池パック８０に関する方向は、後述の装着台２０に関する方向に合わせて、図１に示すように定める。
電池パック８０は、ケース８１内部に図示しない複数の二次電池セルと制御回路とを備えている。二次電池セルは、充電可能な電池であり、制御回路は、この二次電池セルの残容量や電圧等の状態を随時計測して、これらの情報を含む信号を生成する。
電池パック８０は、電動工具Ｔとの電気的な接続手段（接点）として、正負両極の電極８２，８２と、通信用端子８３とを備える。電極８２，８２は、電池パック８０のケース８１の下面において左右の両側にそれぞれ配設されたスリット内に設けられており、ケース８１内部の二次電池セルからの直流電流を出力する。通信用端子８３は、これらの両電極８２，８２の間に配設されており、前記の制御回路により生成された信号を出力する。
【００１９】
電池パック８０の着脱方式はスライド装着式である。すなわち、この電池パック８０は装着部に対する着脱動作がスライド動作であるような電池パックである。
電池パック８０は、電動工具Ｔに設けられた装着部Ｔ３０に対する着脱時のスライド動作をガイドするガイド機構として、左右一対の被ガイド部８４を備える。各被ガイド部８４は、電池パック８０のケース８１の下側において、前記の両電極８２，８２の左右外側に、互いに平行に配設されている。各被ガイド部８４は、互いの外側へフランジ状に張り出しつつ前後方向に延びるフランジ部８４ａを有している。
【００２０】
電池パック８０は、装着部Ｔ３０に対する装着状態においてスライド動作を規制するロック機構として、ロック爪８５と、付勢ばね（図示しない）と、解除ボタン８６とを備える。ロック爪８５は、電池パック８０のケース８１下面の前端部を貫通して、上下に移動可能に設けられている。ロック爪８５は、下方に移動するとケース８１下面から外側へ露出され、また上方に移動するとケース８１下面より内側に収納される。付勢ばねは、ケース８１内部に設けられており、ロック爪８５をケース８１外側へ露出させる方向に付勢している。解除ボタン８６は、ケース８１前面に設けられており、ケース８１内部を通じてロック爪８５と一体的に移動可能に構成されている。解除ボタン８６は、付勢ばねの付勢力に逆らって上方にスライド操作されると、ロック爪８５をケース８１内側へ収納させる。
【００２１】
次に、電動工具Ｔに設けられた電池パックの装着部Ｔ３０を説明する。図２には、電動工具Ｔに設けられた電池パックの装着部Ｔ３０が示されている。なお、この装着部Ｔ３０に関する方向は、後述の装着台２０に設けられた装着部３０に関する方向に合わせて、同図に示すように定める。
装着部Ｔ３０は、前記電気的な接続手段の装着部Ｔ３０側の構成として、正負両極の電極Ｔ３５，Ｔ３５と、通信用端子Ｔ３６とを備える。両極の電極Ｔ３５，Ｔ３５は、矩形の金属板として、左右に間隔を空けて互いに平行に設けられている。電極Ｔ３５，Ｔ３５は、前記電池パック８０に設けられたスリット内に差し込まれて電池パック８０側の電極８２，８２と接続されることで、電池パック８０からの直流電流が入力される。電動工具Ｔは、この直流電流による電力により駆動される。通信用端子Ｔ３６は、これらの電極Ｔ３５，Ｔ３５の間に設けられ、電池パック８０側の通信用端子８３と接続されることで電池パック８０からの前記の信号が入力される。
【００２２】
装着部Ｔ３０は、前記ガイド機構の装着部Ｔ３０側の構成として、前後方向に延びる左右一対のガイドレールＴ３１，Ｔ３１を備える。一対のガイドレールＴ３１，Ｔ３１は、前記の電極Ｔ３５，Ｔ３５の左右外側において、互いに平行に設けられている。左右の各ガイドレールＴ３１は、互いに対向する側となる内側において、外側へ窪みつつ前後方向に延びる溝部Ｔ３１ａを有している。電池パック８０側に設けられた前記の被ガイド部８４のフランジ部８４ａは、前方からこの溝部Ｔ３１ａの中に挿入されて嵌合することが可能とされている。電池パック８０は、このフランジ部８４ａの嵌合状態において、前後方向に関してはガイドレールＴ３１，Ｔ３１に沿ってスライド可能となり、かつ上下及び左右方向に関してはガイドレールＴ３１，Ｔ３１から脱離不可能な係合状態となる。
【００２３】
装着部Ｔ３０は、前記ロック機構の装着部Ｔ３０側の構成として、係止穴Ｔ３２を備える。係止穴Ｔ３２の配設位置は、電池パック８０が後方へスライドされる際、ロック爪８５を受け入れることが可能な位置とされている。ロック爪８５がケース８１外側に露出してこの係止穴Ｔ３２に受け入れられると、ロック機構はロック状態となり、電池パック８０は前後方向に関してスライド移動不可能に係止される。電池パック８０はこのように係止されることにより、装着部Ｔ３０に対して完全に装着された状態となる。電池パック８０は、装着部Ｔ３０に完全に装着された位置において、電動工具Ｔと電気的に正常に接続された状態となる。解除ボタン８６が上方にスライド操作されてロック爪８５がケース８１内側へ収納されると、ロック機構は解除状態となり、電池パック８０は前後方向に関する係止状態が外れて再びスライド移動可能となる。これにより、電池パック８０は装着部Ｔ３０から前方へ引き抜いて脱離可能となる。
【００２４】
次に、第１の実施形態に係る電源装置１０を、図３及び図４を参照しながら説明する。なお、この電源装置１０に関する方向は、各図に示すように定める。
電源装置１０は、概して、前記電池パック８０が装着される装着台２０と、この装着台２０の上面側を閉じる蓋５０とを備えて構成される。図３には、この電源装置１０が蓋５０が開放された状態で示されており、図４には蓋５０が閉塞された状態で示されている。
電源装置１０は、蓋５０が閉塞された状態において、概して直方体箱形状を有する。装着台２０上面２０ａの左縁には、蓋５０を装着台２０に対して回動可能に支持するヒンジ構造２８（図５参照）が設けられている。一方、装着台２０の右側には、蓋５０を閉塞状態でロックする蓋ロック機構２９が設けられている。蓋５０が閉塞された状態においては、電池パック８０は電源装置１０の外部から着脱不可能となる。すなわち、電池パック８０が装着された装着台２０に対してこの蓋５０を閉塞すると、電池パック８０は装着台２０と蓋５０とで囲われて形成される収容空間内部に保護される。
閉塞状態における蓋５０の上側には、電源装置１０を運搬する際に把持するハンドル１１が設けられている。また電源装置１０には、蓋５０が閉塞された状態における直方体箱形状の８つの頂点近傍を覆うように、緩衝保護材１２が取り付けられている。これにより電源装置１０は、いかなる姿勢においても床面に対して緩衝保護材１２を介して接するため、落下及び転倒した際に受ける衝撃等から保護される。
【００２５】
次に、電池パックの装着台２０と蓋５０の詳細を、図３から図５までを参照しながら説明する。図５は、図４に示された電源装置１０をＶ−Ｖ線によって切断して示す断面図である。
装着台２０は、図３に示されているように、概して直方体箱形状の外形を有する。装着台２０は、その直方体箱形状の上面２０ａ側が電池パック８０の装着側として設定されており、全ての電池パック８０はこの上面２０ａ側に装着される。この上面２０ａ側に電池パック８０を装着するための装着部３０については後述する。
装着台２０は、この電池パック８０を装着する機能と共に、回路基板２３を内部に保護する基板ハウジングとしての機能も兼ね備える。基板ハウジングとしての装着台２０は、図５に示されるように、その前記直方体箱形状の内部に回路基板２３を備える。回路基板２３上には、電力を外部に供給する図示しない電力供給回路が配置されている。電力供給回路は、装着された電池パック８０から入力された直流電流を交流電流に変換するインバータ回路を含む。インバータ回路はコイルを備えている。電力供給回路は、この変換された交流電流を出力コンセント２６から出力することで、この交流電流による電力を外部に供給する。回路基板２３は、装着台２０の箱形状の内壁２０ｃに対し、弾性材２４を介して固定されている。
【００２６】
図３に示されるように、装着台２０上面２０ａにおける各装着部３０の前側近傍には、対応する電池パック８０の残容量表示部２５が設けられている。各残容量表示部２５は、前記回路基板２３上の電力供給回路と電気的に接続されており、対応する電池パック８０からこの電力供給回路を経由して受け取った残容量に関する情報を、ＬＥＤにより視認可能に表示する。
装着台２０右側面の上部は、蓋５０に設けられた後述の延設部５０ａによって覆われる被覆面２０ｂとされている。この被覆面２０ｂには、交流電流を出力する出力コンセント２６が設けられている。出力コンセント２６は、図５に示されるように、電気コード９０のプラグ９１を差し込むことで、前記の交流電流による電力がこの電気コード９０を介して供給される。
装着台２０上面２０ａの左縁近傍には、蓋５０が閉塞された状態を検知する閉塞検知スイッチ２７が上面２０ａを貫通して上下に移動可能に設けられている。閉塞検知スイッチ２７は、蓋５０が完全に閉塞されていない状態では、図示しない付勢手段により上方に押し出されて切状態とされ、蓋５０が完全に閉塞された状態では、後述の不完全装着検知リブ５２によって下方に押し込まれて入状態となるよう構成されている。閉塞検知スイッチ２７は前記回路基板２３上の電力供給回路と電気的に接続されており、この電力供給回路による交流電流の出力は、この閉塞検知スイッチ２７の入状態で可能とされ、閉塞検知スイッチ２７の切状態で遮断されるよう構成される。これにより、蓋５０を閉塞しないまま電源装置１０が使用されることを防止できる。
【００２７】
蓋５０は、図４のように閉塞された状態において下側が開口した、概して直方体箱形状とされている。蓋５０の箱形状の右下側には、箱形状の右壁部から開口端を越えて下方に延設された延設部５０ａが形成されている。延設部５０ａは、蓋５０が閉塞された状態において、装着台２０の右側面に設けられた被覆面２０ｂを覆う。
延設部５０ａには、コンセント窓５１がその厚みを貫通して設けられている。延設部５０ａにおけるコンセント窓５１の配設位置は、蓋５０が閉塞された状態において、装着台２０の被覆面２０ｂに設けられた出力コンセントがこのコンセント窓５１を通して外部に露出する位置とされている。これにより、図５に示されるように、出力コンセントに前記のプラグ９１が差し込まれた状態では、プラグ９１がコンセント窓５１の内周縁に引っ掛かるため蓋５０が開放不可能となる。したがって、電源装置１０の使用中に誤って電池パック８０が装着部３０から脱離されることを防止できる。
蓋５０の箱形状の内部には、装着台２０への電池パック８０の不完全な装着状態を検知する不完全装着検知リブ５２が、蓋５０の前壁部と平行な壁状に設けられている。不完全装着検知リブ５２の配設位置は、電池パック８０が装着台２０に完全に装着されて蓋５０が閉塞された図４の状態において、電池パック８０の前側直近に面する位置とされている。これにより、４個の電池パック８０のうち１個でも不完全装着状態の電池パック８０があれば、この不完全装着検知リブ５２がその電池パック８０に当接するため蓋５０が閉塞できない。したがって、電池パック８０の電気的な接続が不完全なまま電源装置１０が使用されることを防止できる。
【００２８】
次に、電池パックの装着部３０について説明する。
装着台２０の上面２０ａには、図３に示されるように、電池パック８０が装着される４つの装着部３０が左右方向に一列に並べて配設されている。４つの装着部３０は、同図に明らかに示されるように、装着台２０上面２０ａの外側に露出して配設されており、これにより各電池パック８０も装着台２０上面２０ａより外側において装着部３０に対して着脱される。また、４つの装着部３０は、装着台２０の上面２０ａにおいて互いに間隔を空けて配設されており、これにより互いに隣り合う装着部３０に装着される２つの電池パック８０の間には隙間が形成される。このように装着部３０が配設されることにより、各電池パック８０の前後側及び左右側にはスライド動作の際にこの電池パック８０を把持可能とする空間が形成される。
【００２９】
各装着部３０は、前述の電動工具Ｔにおける電池パックの装着部Ｔ３０と同一の機械的形態にて形成されている。すなわち各装着部３０は、電池パック８０との電気的な接続手段、電池パック８０着脱時のスライド動作をガイドするガイド機構、及び電池パック８０の装着状態でそのスライド動作を規制するロック機構のそれぞれについて、前述の電動工具Ｔが備えるものと同一の形態とされた構成を備える。
各装着部３０は、電池パック８０との電気的な接続手段の装着部３０側の構成として、正負両極の電極３５，３５と、通信用端子３６とを備える。この電極３５，３５及び通信用端子３６の詳細は、前述の電動工具Ｔに設けられた電極Ｔ３５，Ｔ３５及び通信用端子Ｔ３６と同様である。この電極３５，３５及び通信用端子３６は、ケーブルを介して前記回路基板２３上の電力供給回路と電気的に接続されている。
各装着部３０は、前記ガイド機構の装着部３０側の構成として、前後方向に延びる左右一対のガイドレール３１，３１を備える。一対のガイドレール３１，３１は、前記の電極３５，３５の左右外側において、互いに平行に設けられている。各ガイドレール３１は、互いに対向する側となる内側において、外側へ窪みつつ前後方向に延びる溝部３１ａを有している。電池パック８０側に設けられた前記の被ガイド部８４のフランジ部８４ａは、電池パック８０の装着の際、この溝部３１ａの中に前方から後方（図３に示す矢印方向）へ向かって挿入されて嵌合する。電池パック８０は、このフランジ部８４ａの嵌合状態において、前後方向に関してはガイドレール３１，３１に沿ってスライド可能となり、かつ上下及び左右方向に関してはガイドレール３１，３１から脱離不可能な係合状態となる。
各装着部３０は、前記ロック機構の装着部３０側の構成として、係止穴３２を備える。係止穴３２の詳細は、前述の電動工具Ｔに設けられた係止穴Ｔ３２と同様である。
【００３０】
各装着部３０は、上述の機械的形態を互いに同一の向きとして配設されている。特に、各装着部３０が備えるガイドレール３１，３１が互いに同一の向きに配設されているため、各電池パック８０を着脱する際のスライド動作の方向は、前後方向に統一され互いに並行とされている。すなわち、各電池パック８０は対応する装着部３０に対して、前方から後方へスライドされて装着され、後方から前方へスライドされて脱離される。また、着脱する際の各電池パック８０の向き（姿勢）は互いに同一の向きとなる。
【００３１】
以上のように構成される電源装置１０は、以下のような作用効果を奏する。
この構成によれば、電源装置１０は電動工具Ｔが有する装着部Ｔ３０と同一の機械的形態を有する装着部３０が設けられているため、電動工具用の電池パック８０を着脱可能に搭載することができる。これにより、電動工具Ｔが使用される建設現場等の作業現場において該電源装置１０に電動工具用の予備の電池パック８０を接続すれば、電動工具Ｔ以外の電気機器にも電力を供給することが可能となる。
特に、この電源装置１０は電動工具Ｔが有するものと同一の機械的形態を有するガイド機構及びロック機構が設けられているため、作業者は電動工具Ｔに着脱する場合と同一の感覚で電動工具用電池パック８０をこの電源装置１０に着脱可能である。したがって、電池パック８０の着脱が容易である。
また、電動工具Ｔへの装着時と同一の保持力でもって電源装置１０に電池パック８０が装着されるため、外部からの振動や衝撃等を受けることの多い前記作業現場環境において使用しても、電池パック８０が装着部３０から脱離し難い、機械的に信頼性の高い装置となる。
さらに、この電源装置１０は電動工具Ｔが有するものと同一の機械的形態を有する電気的な接続手段が設けられているため、電気的にも信頼性の高い装置となる。
【００３２】
さらにこの構成によれば、電池パック８０の装着側として設定された装着台２０の同一面（上面２０ａ）側に４つの装着部３０が設けられているため、複数の電池パック８０が容易に着脱可能となる。
特に、各電池パック８０のスライド動作の方向が前後方向に統一され互いに並行とされている。すなわち、各電池パック８０は対応する装着部３０に対して、前方から後方へスライドされて装着され、後方から前方へスライドされて脱離される。このため、複数の電池パック８０を装着する場合において、各電池パック８０を互いに同じ方向にスライド動作可能である。
また、各装着部３０のガイドレール３１，３１は、その機械的形態を互いに同一の向きとして配設されている。このため、複数の電池パック８０を装着する場合において、各電池パック８０を同一の向きに把持して着脱可能となる。
【００３３】
さらにこの構成によれば、装着される電池パック８０の周囲において該電池パック８０を把持可能とする空間が確保されるため、電池パック８０のスライド動作時に電池パック８０を把持しやすい。したがって、電池パック８０の着脱が更に容易となる。
特に、装着される電池パック８０の全体が装着台２０の上面２０ａより外側にはみ出ているため、電池パック８０を把持可能とする空間が電池パック８０の周囲に充分確保できる。
また、電池パック８０を把持可能とする空間が装着台２０の上面２０ａにおいて隣り合う電池パック８０間にも形成されているため、複数の電池パック８０が装着される場合においてもこの電池パック８０を把持可能とする空間が確保される。
【００３４】
さらにこの構成によれば、電力を外部に供給する電力供給回路が配置された回路基板２３が、基板ハウジングとしての装着台２０の箱形状の内壁２０ｃに対して弾性材２４を介して固定されているため、作業現場環境において発生する振動等によりこの電力供給回路に悪影響が及ぶことを低減することができる。
さらにこの構成によれば、電源装置１０の８箇所の角を覆うようにプロテクタが設けられているため、使用中及び運搬中の転倒や落下による外部からの衝撃等から電源装置１０が保護される。
【００３５】
［第２の実施形態］
次に、本発明の他の実施形態について、図面を参照しながら説明する。以下の各実施形態のうち、前記の第１の実施形態から実質的な変更を要しない部分については、同一の符号を付して詳細な説明は省略する。
まず、本発明の第２の実施形態について、図６を参照しながら説明する。第２の実施形態に係る電源装置２１０は、装着台２２０の上面２２０ａ側が電池パックの装着側とされ、上面２２０ａには電池パックの装着部２３０が左右方向一列に３つ配設されている。各装着部２３０は、第１の実施形態と同様に電動工具Ｔが備える装着部Ｔ３０と同一の機械的形態とされており、一対のガイドレール２３１，２３１を備える。この第２の実施形態では、隣り合う装着部２３０は互いに逆の向きに配設されている。このように各装着部２３０が備えるガイドレール２３１，２３１が互いに逆の向きとなっていると、各電池パック８０を着脱する際のスライド動作の方向を、図示矢印のとおりで互い違いにすることができる。なお、この第２の実施形態にあっても、上記した第１の実施形態と同様、各電池パック８０を着脱する際のスライド動作の方向を一致させるように構成されるものであってもよく、本発明に係る同一面をなす点について一致する実施形態となっている。
【００３６】
［第３の実施形態］
次に、本発明の第３の実施形態について、図７を参照しながら説明する。
第３の実施形態に係る電源装置３１０の装着台３２０は、前記の第２の実施形態と同様に、上面３２０ａ側が電池パックの装着側とされ、上面３２０ａには電池パックの装着部３３０が左右方向一列に３つ並んで配設されている。また各装着部３３０は、前記の第１の実施形態と同様に電動工具Ｔが備える装着部Ｔ３０と同一の機械的形態とされており、一対のガイドレール３３１，３３１を備える。
各装着部３３０は、第１の実施形態と異なり、装着台３２０の上面３２０ａにおいて互いに間隔を詰めて配設されているため、隣り合う装着部３３０に着脱される２つの電池パック８０の間には隙間が形成されていない。しかし、各装着部３３０は、第１の実施形態と同様に、装着台３２０の上面３２０ａの外側に露出して配設されているため、着脱される各電池パック８０の前後側（図７の紙面手前及び奥側）にはスライド動作の際に電池パック８０を把持可能とする空間が形成される。
また、第１の実施形態と異なり、各装着部３３０において対を成すガイドレール３３１，３３１の一方（図中右側）が他方（図中左側）よりも高い位置に配設されている。これにより、各電池パック８０は図７において左に傾いた姿勢で装着されて、３個の電池パック８０の上面は互いの境界で段差を形成する位置関係となる。したがって、図７において最も左の電池パック８０については、その左右側にもスライド動作の際に電池パック８０を把持可能とする空間３Ｓが形成される。この最も左の電池パック８０を脱離した状態においては、中央の電池パック８０についても同様にその左右側に電池パック８０を把持可能とする空間が形成される。
【００３７】
［第４の実施形態］
次に、本発明の第４の実施形態について、図８及び図９を参照しながら説明する。
第４の実施形態に係る電源装置４１０は、図８に示されるように、前記の第１の実施形態と異なり、装着台４２０の前面４２０ａ側が電池パックの装着側とされている。装着台４２０の前面４２０ａは、中央部が装着台４２０の内方に窪んだ窪み形状とされて、その内部に３個の電池パック８０を収容可能な一体的な空間が形成されている。装着台４２０の前面４２０ａには、この窪み形状を閉塞する蓋４５０が回動可能に支持されて設けられている。
窪み形状の底面４２０ｄ（奥に位置する面）には、図９に示されるように、電池パックの装着部４３０が左右方向一列に３つ配設されている。各装着部４３０は、前記の第１の実施形態と同様に電動工具Ｔが備える装着部Ｔ３０と同一の機械的形態とされており、一対のガイドレール４３１，４３１を備える。各装着部４３０は、その形態を互いに同一の向きに揃えて配設されており、各電池パック８０を着脱する際のスライド動作の方向は上下方向に統一され互いに並行とされている。すなわち、各電池パック８０は対応する装着部４３０に対して、窪み形状内部において上方から下方へスライドされて装着され、下方から上方にスライドされて脱離される。
各装着部４３０は、互いに間隔を空けて配設され、また窪み形状の上下左右側に位置する各壁面４２０ｅに対しても間隔を空けて配設されている。特に、各電池パック８０のうち、図８に破線で表現されている面よりも前側の部分は、その上下側（図８参照）及び左右側（図９参照）に電池パック８０を把持可能とする空間４Ｓが形成されている。このため第４の実施形態は、実質的には、図１０に示される変形例のように、電池パック８０の一部が装着台４２０の前面４２０ａの外側にはみ出ている場合と同等である。
【００３８】
［第５の実施形態］
次に、本発明の第５の実施形態について、図１１を参照しながら説明する。
第５の実施形態に係る電源装置５１０は、前記の第４の実施形態と同様に、装着台５２０における前面５２０ａに窪み形状が形成されており、この窪み形状の底面５２０ｄに電池パックの装着部５３０が設けられている。しかし、第４の実施形態と異なり、電池パック８０は窪み形状の下壁面５２０ｆに接した状態で装着される。また、電池パック８０のケース８１の形状が、窪み形状の下壁面５２０ｆとの完全な接触を避けるように面取り部８１ａを有する形状とされている。このため、装着状態においても、電池パック８０の上下側にスライド動作の際に電池パック８０を把持可能とする空間５Ｓが形成される。
【００３９】
［第６の実施形態］
次に、本発明の第６の実施形態について、図１２を参照しながら説明する。
第６の実施形態に係る電源装置６１０は、前記の第４の実施形態と同様に、装着台６２０の前面６２０ａ側が電池パックの装着側とされ、３個の電池パック８０が装着可能とされている。しかし、第４の実施形態と異なり、装着台６２０の前面６２０ａには、内部に電池パック８０を差し込んで収容可能な差込穴が、上下方向一列に３つ独立して形成されている。装着台６２０の前面６２０ａには、これらの３つの差込穴を同時に閉塞する蓋６５０が回動可能に支持されて設けられている。
各差込穴の上壁面６２０ｄには、電池パックの装着部６３０が設けられている。各装着部６３０は、前記の第１の実施形態と同様に電動工具Ｔが備える装着部Ｔ３０と同一の機械的形態とされており、一対のガイドレール６３１，６３１を備える。各装着部６３０は、その形態を互いに同一の向きに揃えて配設されており、各電池パック８０を着脱する際のスライド動作の方向は前後方向に統一され互いに並行とされている。すなわち、各電池パック８０は対応する装着部６３０に対して、前方から差込穴内部へ差し込むようにスライドされて装着され、窪み形状内部から前方へ引き抜くようにスライドされて脱離される。
各差込穴の上壁面６２０ｄにおける装着部６３０の配設位置は、装着された電池パック８０の一部が装着台６２０の前面６２０ａよりも外側にはみ出るように設定されている。これにより、各電池パック８０のうち、装着台６２０の前面６２０ａ（図１２に破線で表現されている面）よりも前側の部分は、その上下側及び左右側に電池パック８０を把持可能とする空間６Ｓが形成されている。なお、この第６の実施形態は、変形例として図１３に示すように、電池パック８０の着脱し易さを考えて、スライド動作の方向を一律に上に傾けた形態としても良い。
【００４０】
［第７の実施形態］
次に、本発明の第７の実施形態について、図１４を参照しながら説明する。第７の実施形態に係る電源装置７１０は、第６の実施形態と同様に、装着台７２０の前面７２０ａには、内部に電池パック８０を差し込んで収容可能な差込穴が形成され、差込穴の上壁面には、電池パックの装着部７３０が設けられている。しかし、第６の実施形態と異なり、各差込穴の上壁面における装着部７３０の配設位置は、装着された電池パック８０の全部が装着台７２０の前面７２０ａよりも内側に埋没するように設定されている。また、電池パック８０のケース８１の形状が、差込穴の上壁面及び下壁面それぞれとの完全な接触を避けるように面取り部８１ａを有する形状とされている。このため、装着状態においても、電池パック８０の上下側にスライド動作の際に電池パック８０を把持可能とする空間７Ｓが形成される。
【００４１】
［第８の実施形態］
次に、本発明の第８の実施形態について、図１５を参照しながら説明する。第８の実施形態に係る電源装置８１０は、第６の実施形態と同様に、装着台８２０の前面８２０ａには、内部に電池パック８０を差し込んで収容可能な差込穴が上下方向一列に３つ形成されている。また、差込穴の壁面には電池パックの装着部８３０が設けられているが、第６の実施形態とは異なり、装着部８３０の配設面８２０ｄは、中央の差込穴についてはその下壁面とされ、上下の２つの差込穴についてはその上壁面とされている。したがって、各電池パック８０を着脱する際のスライド動作の方向は前後方向に統一されて互いに並行となるが、各電池パック８０の向きは、第６の実施形態とは異なり、交互に裏返された向きとなる。
【００４２】
なお、本発明に係る電源装置は、上記の第１から第８までの実施形態に限定されるものではなく、その他各種の形態で実施できるものである。
まず、上述の各実施形態に係る電池パック８０の着脱方式は、装着部側に設けられたガイドレールに沿ってスライドされて装着されるスライド装着式のものであった。しかし電池パック８０はこのようなものに限らず、そのケース８１表面において電極とガイド機構がどのような形状及び位置関係にて配設されているものであってもよい。例えば、電池パックのケースの形状に合わせて形成された差込穴に差し込まれて、差込穴の底面に設けられた電極と接続される、差込式の電池パックを用いるものであってもよい。この場合のガイド機構は、電池パックのケースの形状及び差込穴の壁面形状が相当する。
また、上述の各実施形態に係る装着台２０は、特定の面側（直方体箱形状の上面側や前面側）が電池パック８０の装着側として設定され、全ての電池パック８０はこの特定の同一面側に装着されているものであった。これは装着台２０が直方体箱形状のような平面によって構成されるものでない場合においても適用できる。例えば装着台２０は、特定の面側に実質的に同一面と見なせる段差（第３の実施形態参照）、窪み（第４の実施形態参照）、曲面等の起伏を有する場合であってもよい。
また、上述の各実施形態に係る電源装置は、以上の説明中に定義された下側の面を床側に向けて載置するだけでなく、これとは異なる面を床側に向けて載置しても、電源装置としての機能を損なうことなく使用可能である。例えば、第１の実施形態の電源装置は、蓋５０が閉塞された図４に示される状態において、出力コンセントが設けられた右面以外のいずれの面を床側として載置してもよい。第４の実施形態においては、例えば、図８に示す後側の面を床側として載置してもよい。
また、上述の各実施形態に係る電源装置は、各電池パックからの直流電流を交流電流に変換して出力し、この交流電流による電力を供給するものであった。しかし、電池パックからの直流電流をそのまま出力し、この直流電流による電力を供給する構成としてもよい。
【符号の説明】
【００４３】
１０  電源装置
１１  ハンドル
１２  緩衝保護材
２０  装着台
２０ａ      上面
２０ｂ      被覆面
２０ｃ      内壁
２３  回路基板
２４  弾性材
２５  残容量表示部
２６  出力コンセント
２７  閉塞検知スイッチ
２８  ヒンジ構造
２９  蓋ロック機構
３０  装着部
３１  ガイドレール
３２  係止穴
３５  電極
３６  通信用端子
５０  蓋
５０ａ      延設部
５１  コンセント窓
５２  不完全装着検知リブ
８０  電池パック
８１  ケース
８１ａ      面取り部
８２  電極
８３  通信用端子
８４  被ガイド部
８４ａ      フランジ部
８５  ロック爪
８６  解除ボタン
９０  電気コード
９１  プラグ
Ｔ    電動工具
Ｔ３０      装着部
Ｔ３１      ガイドレール
Ｔ３２      係止穴
Ｔ３５      電極
Ｔ３６      通信用端子
【図１】
0005784413.tif 000002
【図２】
0005784413.tif 000003
【図３】
0005784413.tif 000004
【図４】
0005784413.tif 000005
【図５】
0005784413.tif 000006
【図６】
0005784413.tif 000007
【図７】
0005784413.tif 000008
【図８】
0005784413.tif 000009
【図９】
0005784413.tif 000010
【図１０】
0005784413.tif 000011
【図１１】
0005784413.tif 000012
【図１２】
0005784413.tif 000013
【図１３】
0005784413.tif 000014
【図１４】
0005784413.tif 000015
【図１５】
0005784413.tif 000016